(57)【要約】【課題】開封後に再利用できる段ボール箱。【解決手段】一対の側面壁の上縁に蓋板を連設し、一対の端面壁の上縁に蓋フラップを連設し、それぞれ重ね合わせて閉止する段ボール箱において、蓋板左右両側の蓋フラップと重なる部分に中央に向かってコの字状切込を設け、その内側を挿入口片とし、蓋フラップに端面壁との連設部と平行に折目を設け、中央上端部にコの字状切込を設け、その内側を説明書片とし、左右両端先端部にL字状切込を設け、その内側を捨板とし、各切込は全てミシン目状に繋がっており、開封した後に、各切込を破り、説明書片、捨板を蓋フラップより切り離すことで、蓋フラップ上縁に差込片が突起し、差込片を折目より折り曲げ、挿入口片に沿わせながら挿入することで、蓋面を再封緘できるようにした。【選択図】図１
2006219136.tif 000002
【特許請求の範囲】
【請求項１】
一対の側面壁１の上縁に蓋板３を連設し、一対の端面壁２の上縁に蓋フラップ５を連設し、その各連設部を折目aとし、それぞれ重ね合わせて閉止する段ボール箱２０において、蓋板３左右両側の蓋フラップ５と重なる部分に中央に向かってコの字状切込８を設け、その内側を挿入口片９とし、蓋フラップ５に折目aと平行に折目cを設け、中央上端部にコの字状切込１０を設け、その内側を説明書片１１とし、左右両端先端部にL字状切込１２を設け、その内側を捨板１３とし、各切込８、１０、１２は全てミシン目状に繋がっており、蓋板３、蓋フラップ５を折目aより折り曲げそれぞれ重ね合わせて粘着テープにて閉止して輸送し、開封した後に、各切込８、１０、１２を破り、説明書片１１、捨板１３を蓋フラップ５より切り離すことで、蓋フラップ５上縁に差込片１４が突起し、差込片１４を折目cより折り曲げ、挿入口片９に沿わせながら挿入することで、蓋面を再封緘できるようにしたことを特徴とする段ボール箱。
【発明の詳細な説明】
【技術分野】
【０００１】
この発明は、A式ケースの形態にて梱包、輸送することができ、開封後には、収納用の箱として再封緘できる段ボール箱に関するものである。
【背景技術】
【０００２】
従来より、通信販売などで衣服などを輸送する段ボール箱４０（A式ケース）は、図８に示すように、一対の側面壁４１の上下縁に連設した外フラップ４３と一対の端面壁４２の上下縁に連設した内フラップ４４をそれぞれ重ね合わせて粘着テープにて閉止し、輸送している。前記のような段ボール箱４０を開封し、商品を取り出した後は、折り畳み廃棄処分している。
【０００３】
段ボール箱の蓋面を粘着テープを使用せずに閉止できるハの字ロックのような形態は数多く存在する（例えば、特許文献１、特許文献２）
【０００４】
上記の蓋面ロック方法は、梱包作業の際のテープ貼り作業やステープル止め作業を削減する目的で考案されていた。
【特許文献１】実公昭５５−３０５５号公報
【特許文献２】特開２００３−３４１６５５号公報
【発明の開示】
【発明が解決しようとする課題】
【０００５】
しかしながら、蓋面に切込を設け、穴部ができると、輸送時に穴部から異物が混入することになり、衣類のような商品の箱には好ましくない。
【０００６】
さらに、上記特許文献を収納箱として利用した場合、再利用する方法を示す説明図を段ボール箱の一部に印刷すると、輸送時の段ボール箱のデザインを損ねることになる。また、内フラップに印刷を施した場合においても、保管箱として使用する際に表に現れるため、デザインを重視する場合に好ましくない。
【０００７】
そこでこの発明は、輸送時、収納箱時のデザインを損ねることなく、輸送し終えた段ボール箱を収納箱として再利用することができ、梱包作業、封緘機は従来と同様の方法を用いることのできる段ボール箱を提供する事を課題とする。
【課題を解決するための手段】
【０００８】
以上の課題を解決するために、一対の側面壁の上縁に蓋板を連設し、一対の端面壁の上縁に蓋フラップを連設し、それぞれ重ね合わせて閉止する段ボール箱において、蓋板左右両側の蓋フラップと重なる部分に中央に向かってコの字状切込を設け、その内側を挿入口片とし、蓋フラップに端面壁との連設部と平行に折目を設け、中央上端部にコの字状切込を設け、その内側を説明書片とし、左右両端先端部にL字状切込を設け、その内側を捨板とし、各切込は全てミシン目状に繋がっており、蓋板、蓋フラップを連設部より折り曲げそれぞれ重ね合わせて粘着テープにて閉止して輸送し、開封した後に、各切込を破り、説明書片、捨板を蓋フラップより切り離すことで、蓋フラップ上縁に差込片が突起し、差込片を折目より折り曲げ、挿入口片に沿わせながら挿入することで、蓋面を再封緘できるようにしたのである。
【発明の効果】
【０００９】
予め、蓋板、蓋フラップに折目や切込を設けることで、カッターなどを使用することなく、輸送し終わった段ボール箱を収納箱として利用することができ、梱包時には、従来のA式ケースと同様の方法で封緘することができる。
【００１０】
また、輸送時には、挿入口片周囲のコの字状切込がミシン目状になっているために穴が開くことがなく、外部からの異物混入を防ぐことができ、挿入口片に突起物のようなもので負荷が掛かっても、蓋フラップと重なっているために破れを防ぐことができる。
【００１１】
そして、輸送し終わった段ボール箱を収納箱として利用する際に、利用方法を説明書片に印刷しているために、輸送時には蓋板にて隠れ、収納箱の時には説明書片を蓋フラップより引き離すことで収納箱のデザインを損ねることがない。
【００１２】
さらに、本発明の製造方法は、A式ケース量産機のダイカッター部で加工でき、一工程で製造できるために付加機能を付けてもコストアップの要因にならない。また、説明書片、捨板は蓋フラップにミシン目状に繋がっているため、製造時に余分なカスが出ないので製造しやすいのである。
【発明を実施するための最良の形態】
【００１３】
本発明の実施例について、図１〜図７を参照しながら説明する。先ず、図１の段ボール箱２０の展開図について説明する。一対の側面壁１と一対の端面壁２を交互に連設し、側面壁１の開放側に糊代片７を連設し、側面壁１の上縁にそれぞれ蓋板３を連設し、下縁にそれぞれ底板４を連設し、端面壁２の上縁にそれぞれ蓋フラップ５を連設し、下縁にそれぞれ底フラップ６を連設し、その各連設部を折目aとする。蓋板３左右両側の蓋フラップ５と重なり合う部分に内側に向かってコの字状切込８を設け、その内側を挿入口片９とし、その基端を折目bとする。蓋フラップ５には、所定の間隔に折目aと平行に折目cを設け、中央上端部にコの字状切込１０を設け、その内側を説明書片１１とし、左右両端先端部にL字状切込１２をそれぞれ設け、その内側を捨板１３とし、コの字状切込１０、L字状切込１２はミシン目状になっており、説明書１１と捨板１３とに挟まれた部分を差込片１４とする。
【００１４】
上記のような展開図からなる段ボール箱２０は、図３に示すように、糊代片７を反対側の端面壁２に貼り付け筒状にし、蓋フラップ５、底フラップ４を折目aに沿って内側に折り曲げ重ね合わせ、次いで、蓋板３、底板４を折目aに沿って内側に折り曲げ重ね合わせて粘着テープ３０にて閉止し輸送する。
【００１５】
このとき、図４に示すように、挿入口片９周囲のコの字状切込８はミシン目状になっているため、輸送時に外部からの異物混入を防ぐことができ、さらに、挿入口片９に突起物のようなもので負荷が掛かっても、蓋フラップ５との重なりにより軽減することができ、穴が開くことを防ぐことができるのである。
【００１６】
そして、商品を取り出した後は、図２に示すような説明書片１１に記載した再利用方法を参考にし、図５に示すように、蓋フラップ５より、説明書片１１、捨板１３をそれぞれ引き離すことで、蓋フラップ５上縁に差込片１４が突起したような形状になり、図６に示すように、挿入口片９周囲のコの字状切込８を破り、折目bより内側に押し込み、差込片１４を折目cに沿って折り曲げ、挿入口片９に沿わせながら差込片１４を挿入することで図７に示すように、段ボール箱２０の蓋面を閉止することができ、収納箱として再利用することができる。
【図面の簡単な説明】
【００１７】
【図１】本発明の段ボール箱の展開図である。
【図２】説明書片の拡大図である。
【図３】段ボール箱２０の底面を閉止した状態を示す斜視構成図である。
【図４】段ボール箱２０の蓋面を閉止した状態を示す斜視構成図である。
【図５】説明書片、捨板を蓋フラップより引き離した状態を示す斜視構成図である。
【図６】差込片を挿入口片に差し込む状態を示す斜視構成図である。
【図７】蓋面を再封緘した状態を示す斜視構成図である。
【図８】A式ケースの斜視構成図である。
【符号の説明】
【００１８】
１  側面壁
２  端面壁
３  蓋板
４  底板
５  蓋フラップ
６  底フラップ
７  糊代片
８  コの字状切込
９  挿入口片
１０  コの字状切込
１１  説明書片
１２  L字状切込
１３  捨板
１４  差込片
２０  段ボール箱
３０  粘着テープ
a、b、c  折目
【図１】
2006219136.tif 000003
【図２】
2006219136.tif 000004
【図３】
2006219136.tif 000005
【図４】
2006219136.tif 000006
【図５】
2006219136.tif 000007
【図６】
2006219136.tif 000008
【図７】
2006219136.tif 000009
【図８】
2006219136.tif 000010